(57)【要約】      （修正有）【課題】巧みな構成を有しつつ安価なコストによって提供できる積み木ユニット構造を提供する。【解決手段】立方体に形成され、その六つの面部のうち、五つの面部のそれぞれは、四つの穿孔（４２）を有し、かつ、その他の面部には二つの対称しあうボス（４１）を有し、かつ二つの対称しあう穿孔（４３）を有する。【選択図】図６
0003130399.tif 000002
【実用新案登録請求の範囲】
【請求項１】
立方体に形成され、その六つの面部のうち、五つの面部のそれぞれには四つの穿孔を有し、他の面部には二つの対称しあうボスと二つの対称しあう穿孔とが形成されていることを特徴とする、積み木ユニット構造。
【請求項２】
各ボスは円形に形成されることを特徴とする、請求項１に記載の積み木ユニット構造。
【請求項３】
前記穿孔は、円形及び四角形のいずれか１つに形成されていることを特徴する、請求項１に記載の積み木ユニット構造。
【請求項４】
前記四つの穿孔は中心部における十字形軸と縁部枠とによって形成され、前記中心部における十字形軸の幅は前記縁部枠の幅の二倍であることを特徴とする、請求項１記載の積み木ユニット構造。
【考案の詳細な説明】
【技術分野】
【０００１】
本考案は、積み木ユニット構造に関し、特に複数種の形状に組立てられ、かつ収納に便利的であり、かつ安価なコストによって提供できる積み木ユニット構造に関する。
【背景技術】
【０００２】
幼児の脳部の発育と筋肉の発達とが、すべて良好的な“運動”によって達成すべきものであり、頭に動かせる必要があるとともに、好ましくは“調整制御バランス感”を醸し出すように培養しなければならない。そのため、構築性に富む玩具のもの、例えば、積み木などの物品がよく専門家の推薦を受けて幼児に遊ばせるように勧められてきた。そのような玩具で遊ぶ場合は、幼児が目の観察と両手の操作を通して繰り返して行う思考と組立の手数をかけて最初ばらばらであったユニット同士を意味のある構築物となるように組立て、“空間”的な概念を構築させるように練習を繰り返すことができ、かつ幼児に“部分的”と“全体”の概念をその頭の中で構築させることができ、かつ“数量”の多少についての概念もついでに培養されてきた。また、そのような積み木の組立創作の最中に、幼児がその成長に伴う設計知能を積み重ねることができ、かつ自己の幻想に陥らせることができ、その空間的創作を１つ１つ作り上げることができるようになり、その脳部の機能性を有効的に訓練できるので、意味に富む実用性のある玩具となっている。
【０００３】
しかしながら、一種の良好的で前記のそれぞれの目的を達成できるぐらいの積み木ユニットは、単にいくつかの幾何学形状に形成されるブロックを高く組立てることによって前記のすべての目的を達成できるものではなく、積み木ユニットは好ましくは重複性を有し、造詣が巧みであり、バランスが取れやすいなどの複数の優れる点を有しなければならなく、マーケットにおいては、すでに複数種の積み木ユニットのものが前記の要求を満足できるが、その中では、依然として解決されなければならない多くの課題を擁している。
【０００４】
図１及び図２に示には、それぞれ、従来の積み木ユニットの外見図及び収納様子を示す説明図である。それらの図面に開示されるように、従来の積み木ユニット１が立方体に形成され、その側面部の中の四つの面部のうち、三つの面部のそれぞれには挿入孔１１を有し、その他の面部には中央の箇所にボス１２を有し、そのボス１２と他の積み木ユニット１における挿入孔と結合することによって、それぞれ異なるタイプの形状の造形を組立てることができ、幼児にその空間的想像力を発揮させることができるとともに、その脳部の機能性を活躍させるように培養することもできる。しかしながら、このような設計の場合では、積み木ユニット１をどのように組立て、またはどのように収納しても、ある積み木ユニット１のボス１２が載置盤２の外方に突出されるようになることがあり、載置盤２をカバーできなくなり、その美観性を破壊することがある。
【０００５】
また、図３は他の種の従来の積み木ユニットの外見を示す説明図であり、また、図４及び図５は、それぞれ、他の種の積み木ユニットの組立説明図及び収納説明図であり、それらの図面に示すように、前記積み木ユニット３が立方体に形成され、その六つの面部のうち、五つの面部のそれぞれは挿入孔３１を有し、かつ、その他の面部には中央部にボス３２を有し、そのボス３２と他の積み木ユニットの挿入孔３１とを結合することによってそれぞれ異なる形状を有する造形物を組立取得できるので、幼児にその空間的創作力を培養できるとともに、その脳部の機能を活躍させるように訓練を繰り返すことができる。また、１つの立方体に形成される積み木ユニット３０を考案してその外見の完璧化の手段として利用し、その六つの面部にはすべて挿入孔３０１が形成され、それらをすべて載置盤２の内部に収納することができ、前記の覆うことができない課題と全体の美観性を破壊する課題を生じることはない。また、他の種の六つの面部においてすべて挿入孔３０１を有する積み木ユニット３０を考案することによって前記の覆うことができない課題と前記の美観性を破壊する課題を解消するが、そのような物品は二つの成形型を使用することによってその目的を図ることができ、かつ二種類の物品の在庫を備える必要があるため、コストを高価にならせることがあり、経済的に不都合な点でも有している。
【考案の開示】
【考案が解決しようとする課題】
【０００６】
前記の従来の積み木ユニットの有するそれぞれの課題に鑑みて、本考案の考案者は研究改良を進め、とうとう、複数種の形状に組立てることができるとともに、収納に便利的であり、かつ安価なコストによって提供できる積み木ユニット構造を提出するに至った。
【課題を解決するための手段】
【０００７】
前記の目的を図るために、本考案は、立方体に形成され、その六つの面部のうち、五つの面部のそれぞれには四つの穿孔を有しつつ、他の面部には二つの対称しあうボスと二つの対称しあう穿孔とが形成される、積み木ユニット構造を提供する。
【０００８】
前記の構成をすることによって、複数種の形状に組立てられるとともに、収納に便利的であり、かつ安価で提供できる高価を取得できる。
【０００９】
また、前記の目的を図るために、本考案は、立方体に形成され、その六つの面部のうち、五つの面部のそれぞれには四つの穿孔を有しつつ、他の面部には二つの対称しあうボスと二つの対称しあう穿孔とが形成され、かつ前記四つの穿孔は、中心部における十字形軸と縁部枠とからなり、かつその中心部における十字形軸の幅が前記の縁部枠の幅の二倍にもなるように考案した積み木ユニット構造を提供する。
【００１０】
そうする場合では、もっと多くの種類の形状になるように組立てられることができる。
【考案を実施するための最良の形態】
【００１１】
本考案の目的と特徴とその効果性をさらに詳しく説明するために、以下に添付図面を参照しながら、本考案を詳細的で具体的に説明する。
【００１２】
図６に示すのは、本考案の積み木ユニット構造の外見を示す説明図であり、それらの図面に示すように、その積み木ユニット４は、立方体に形成され、かつその六つの面部のうち、五つの面部のそれぞれは四つの穿孔４２を有し、その他の面部には二つの対称しあうボス４１と二つの対称しあう穿孔４３とを有し、その中では、ボス４１として円形に形成させてもよく、また、穿孔４２，４３が四方形に形成されてもよい。他に、四つの穿孔４２が中心部における十字形軸４４と縁部枠４５とからなるものであり、かつ中心部における十字形軸４４の幅が縁部枠４５の幅の二倍にもなる。
【００１３】
また、図７は、本考案の複数個の積み木ユニットの外見を示す説明図であり、図８及び図９は、それぞれ本考案の複数個の積み木ユニット同士の組立説明図及びそれらの収納の場合を示す説明図である。
【００１４】
それらの図面に示すように、それぞれの積み木ユニット４がその一面に形成される二つの対称しあうボス４１と、他の積み木ユニット４のいずれの面部における穿孔４２，４３と一体になるように結合でき、十字形造形を形成することができ、かつ載置盤５に置き入れられる場合に、そのボス４１を有する面部を内方へ向けて他の積み木ユニット４の穿孔４２，４３に挿入することによって、それらのボス４１を突出させないように処理できるので、従来の考案でカバーできない課題と美観性に欠如するような課題などをすべて解消でき、かつそのような積み木ユニットは一種の成形型を使用して作製することができるので、従来の他の成形型を作る必要がある課題と二種類の部材と材料を備える必要があることなどの課題をすべて解消できる。
【００１５】
また、図１０及び図１１は、それぞれ、本考案の他の実施の形態を示す説明図であり、それらの図面に開示されるように、それらの積み木ユニット４の四つの穿孔４２が中心部における十字形軸４４と縁部枠４５とからなるとともに、その十字形軸４４の幅が縁部枠４５の二倍であり、そのため、前記の積み木ユニット４は一対一のモードの組立てることだけに限定されなくなり、例えば、ある積み木ユニット４の二つのボス４１によって他の積み木ユニットにおける穿孔４２，４３に対応して逆“Ｔ”字形を形成するように組立てることができる。
【００１６】
また、図１２及び図１３は、それぞれ、本考案の他の実施の形態を示す説明図であり、それらの図面に開示されるように、前記の積み木ユニット４がその一面における二つのボス４１をそれぞれ他の二つの積み木ユニット４の穿孔４２内に嵌め込み、また、他の積み木ユニット４を取って、その一面における二つのボス４１を前記の他の二つの積み木ユニット４の穿孔４３内に嵌め込むことによって、積み重ね接合される十字形の様子に形成されることも実行できる。
【００１７】
他に、図１０ないし図１３は、本考案の積み木ユニットの二種類の組立状態の実施の形態を示す説明図であり、本考案の積み木ユニットは、前記組立方式に限定するものはなく、相互に積み重ね接合でき、無限に延伸することができ、それぞれの各種の造形に組み立てることができる。
【００１８】
図１４は、本考案の他の実施の形態を示す説明図であり、その図面に示すように、その積み木ユニット６が立方体に形成され、その六つの面部のうち、五つの面部のそれぞれは四つの穿孔６２を有し、その他の面部には二つの対称しあうボス６１と二つの対称しあう穿孔６３が形成されている。その中では、前記のボス６１として円形に形成されるものを使用でき、他に、前記の穿孔６２，６３も円形に形成されることができる。その積み木ユニット６の組立方式は、図７と図８と図９に示すように、収納時にカバーできない課題や美観性に欠如することなどの課題を容易に解消でき、また、その積み木ユニット６の組立方式も図１０ないし図１３に示す組立方式を好適に採用でき、相互に積み重ね接合でき、無限に延伸することができ、それぞれ各種の造形に組立てることができる。
【産業上の利用可能性】
【００１９】
前記の説明から分かるように、本考案による積み木ユニット４，６が立方体に形成され、その六つの面部のうち、五つの面部のそれぞれは、四つの穿孔４２，６２を有するとともに、その他の面部には二つの対称しあうボス４１，６１を有し、かつ二つの対称しあう穿孔４３，６３を有する。その中では、前記ボス４１，６１として円形に形成されるものに好適に使用でき、かつ前記穿孔４２，６２，４３，６３も四方形や円形などいずれ一種の形状に形成させることができるので、巧みな構成を有しつつ安価なコストによって提供できる積み木ユニット構造を取得できる。
【００２０】
前記に説明したように、本考案による“積み木ユニット構造”は、確かに最先に使用されるものであり、その構造は簡素的であり、実用性に富む。
【図面の簡単な説明】
【００２１】
【図１】従来の積み木ユニットの外見を示す説明図である。
【図２】従来の積み木ユニットの収納時の様子を示す説明図である。
【図３】他の従来の積み木ユニットの外見を示す説明図である。
【図４】他の従来の積み木ユニットの組立時の様子を示す説明図である。
【図５】他の従来の積み木ユニットの収納時の様子を示す説明図である。
【図６】本考案の積み木ユニットの外見を示す説明図である。
【図７】本考案による複数個の積み木ユニット同士の様子を示す説明図である。
【図８】本考案による複数個の積み木ユニット同士の組立時の様子を示す説明図である。
【図９】本考案による複数個の積み木ユニット同士の収納時の様子を示す説明図である。
【図１０】本考案の実施の形態を示す説明図である。
【図１１】本考案の実施の形態を示す説明図である。
【図１２】本考案の他の実施の形態を示す説明図である。
【図１３】本考案の他の実施の形態を示す説明図である。
【図１４】本考案の他の実施の形態を示す説明図である。
【符号の説明】
【００２２】
１        積み木ユニット
２        載置盤
３        積み木ユニット
４        積み木ユニット
５        載置盤
６        積み木ユニット
１１      挿入孔
１２      ボス
３０      積み木ユニット
３１      挿入孔
３２      ボス
４１      ボス
４２      穿孔
４３      穿孔
４４      中心部における十字形軸
４５      縁部枠
６１      ボス
６２      穿孔
６３      穿孔
３１０  挿入孔
【図１】
0003130399.tif 000003
【図２】
0003130399.tif 000004
【図３】
0003130399.tif 000005
【図４】
0003130399.tif 000006
【図５】
0003130399.tif 000007
【図６】
0003130399.tif 000008
【図７】
0003130399.tif 000009
【図８】
0003130399.tif 000010
【図９】
0003130399.tif 000011
【図１０】
0003130399.tif 000012
【図１１】
0003130399.tif 000013
【図１２】
0003130399.tif 000014
【図１３】
0003130399.tif 000015
【図１４】
0003130399.tif 000016